(57)【要約】【課題】パネル本体部と補強板部材との間を十分な強度で接合することができると共に、パネル本体部の重量化やコストアップを防止することができるフリーアクセスフロア用パネルを提供する。【解決手段】表板部４とこの表板部４の裏面側に高さを有して一体的に形成された複数のリブ６とを有するパネル本体部１２と、前記複数のリブ６の高さ先端部に接合される補強板部材１４とを備え、前記リブ６の高さ先端部と前記補強板部材１４との間が、摩擦撹拌接合手段により接合されるようにした。【効果】パネル本体部と補強板部材との間を十分な強度で接合することができると共に、パネル本体部の重量化やコストアップを防止することができる。【選択図】図１
2010043448.tif 000002
【特許請求の範囲】
【請求項１】
表板部とこの表板部の裏面側に高さを有して一体的に形成された複数のリブとを有するパネル本体部と、
前記複数のリブの高さ先端部に接合される補強板部材とを備え、
前記リブの高さ先端部と前記補強板部材との間が、摩擦撹拌接合手段により接合されていることを特徴とするフリーアクセスフロア用パネル。
【請求項２】
前記パネル本体部と前記補強板部材は、共に同じ材料により形成されていることを特徴とする請求項１に記載のフリーアクセスフロア用パネル。
【請求項３】
前記同じ材料は、同じ製法によって形成されていることを特徴とする請求項２に記載のフリーアクセスフロア用パネル。
【請求項４】
前記同じ材料は、同じ組成を有していることを特徴とする請求項２に記載のフリーアクセスフロア用パネル。
【請求項５】
前記パネル本体部と前記補強板部材は、互いに異なる材料により形成されていることを特徴とする請求項１に記載のフリーアクセスフロア用パネル。
【請求項６】
前記異なる材料は、異なる製法によって形成されていることを特徴とする請求項５に記載のフリーアクセスフロア用パネル。
【請求項７】
前記異なる材料は、異なる組成を有していることを特徴とする請求項５に記載のフリーアクセスフロア用パネル。
【発明の詳細な説明】
【技術分野】
【０００１】
本発明は、クリーンルームや電算室等の部屋の床部に敷設されるフリーアクセスフロアの床面を形成するフリーアクセスフロア用パネルに関するものである。
【背景技術】
【０００２】
図２及び図３は、第１の従来技術に係るフリーアクセスフロア用パネル２（以下、パネル２ともいう）を示す平面図及び側面断面図である。このパネル２は、不図示の支持脚により所定の高さで水平に支持された状態を保持し、クリーンルームや電算室等の部屋の床面を形成するように並べて敷設されることにより、このパネル２と、その下方の下地床面との間の空間に配管や配線を通すことができる、フリーアクセスフロアを形成するようになっている。
【０００３】
この従来のフリーアクセスフロア用パネル２は、その材質にアルミニウム合金を用いたダイカスト製品であって、フリーアクセスフロアの床面を形成する平板部４と、この平板部４の裏面側に一体的に形成される複数のリブ６を備えて構成されている。複数のリブ６のそれぞれは、平板部４に沿って長さが伸びるように形成され、図２に示すように、格子状に配置されている。パネル２は、このような複数のリブ６が形成されていることにより、その強度が向上するようになっていた。
【０００４】
次に、図４は、第２の従来技術に係るフリーアクセスフロア用パネル１０（以下、パネル１０ともいう）を示す側面断面図である（例えば、特許文献１参照）。この第２の従来技術に係るパネル１０は、上記第１の従来技術に係るパネル２と同様に、平板部４と複数のリブ６とを備えて構成されている。
【０００５】
この第２の従来技術に係る、パネル１０における平板部４と複数のリブ６は、上記第１の従来技術に係るパネル２と同様に、やはり一体形成されたものであって、その材質にアルミニウム合金を用いたダイカスト製品である。このパネル１０においては、これら平板部４と複数のリブ６とを備えて構成されている部分を、パネル本体部１２と呼ぶこととする。
【０００６】
また、この第２の従来のパネル１０は、補強板部材１４を備えている。この補強板部材１４は、アルミニウム合金製の板状の素材からパネル本体部１２の平板部４と同様の大きさに切取って形成したものであって、そのパネル本体部１２側の面が、複数のリブ６のそれぞれの先端面に接触し、この複数のリブ６の先端面に接着又は溶接により固着されている。
【特許文献１】実開昭６３−９４２４１号公報
【発明の開示】
【発明が解決しようとする課題】
【０００７】
しかしながら、上記第１の従来技術に係るフリーアクセスフロア用パネル２においては、その強度を向上させるために、そのパネル２の平板部４や、複数のリブ６のそれぞれの厚さを厚くしたり、或はリブ６の数を増やしたりすることが行われていた。このため、この第１の従来技術に係るフリーアクセスフロア用パネル２は、その強度を向上させようとすると、その重量化やコストアップを招くことが避けられないという問題があった。
【０００８】
ところが、上記第２の従来技術に係るパネル１０のように、その補強板部材１４をパネル本体部１２のリブ６の先端面に接着又は溶接により固着した場合には、上記第１の従来技術に係るパネル２のように、その平板部４や、複数のリブ６のそれぞれの厚さを厚くしたり、或はリブの数を増やしたりしなくとも、一定の範囲内でその強度を向上させることができる。
【０００９】
しかしながら、上記第２の従来技術に係るパネル１０においては、その補強板部材１４をパネル本体部１２のリブ６の先端面に接着により固着した場合には、これら補強板部材１４とリブ６の両者を、上記一定の範囲を越えたより大きな（十分な）強度で一体化することが難しく、両者間が剥がれ易いという問題があった。
【００１０】
また、上記第２の従来技術に係るパネル１０においては、補強板部材１４の外周部を、パネル本体部１２の平板部４の外周部に沿って配置されたリブ６の先端部に溶接により固着した場合には、この補強板部材１４とパネル本体部１２の両者がアルミニウムを主体とする金属材料である場合は、アルミニウムを主体とする金属は溶接作業に適さない特性を有するので、溶接部に欠陥が生じ易い。このため、やはり補強板部材１４とリブ６の両者を上記十分な強度で一体化することが難しいという問題があった。
【００１１】
このことにより、上記第２の従来技術に係るパネル１０においては、補強板部材１４による強度の向上に限界があり、上記十分な強度を発揮させるようにするためには、結局、そのパネル本体部１２の平板部４や、複数のリブ６のそれぞれの厚さを厚くしたり、或はリブ６の数を増やしたりしなければならないので、やはりパネル本体部１２の重量化やコストアップが避けられないという問題があった。
【００１２】
そこで本発明は、上記問題点に鑑みて、パネル本体部と補強板部材との間を十分な強度で接合することができると共に、パネル本体部の重量化やコストアップを防止することができるフリーアクセスフロア用パネルを提供することを課題とするものである。
【課題を解決するための手段】
【００１３】
上記課題を解決するために本発明は、
表板部とこの表板部の裏面側に高さを有して一体的に形成された複数のリブとを有するパネル本体部と、
前記複数のリブの高さ先端部に接合される補強板部材とを備え、
前記リブの高さ先端部と前記補強板部材との間が、摩擦撹拌接合手段により接合されていることを特徴とするものである。
【００１４】
また、本発明によるフリーアクセスフロア用パネルは、
前記パネル本体部と前記補強板部材は、共に同じ材料により形成されていることを特徴とするものである。
【００１５】
また、本発明によるフリーアクセスフロア用パネルは、
前記同じ材料は、同じ製法によって形成されていることを特徴とするものである。
【００１６】
また、本発明によるフリーアクセスフロア用パネルは、
前記同じ材料は、同じ組成を有していることを特徴とするものである。
【００１７】
また、本発明によるフリーアクセスフロア用パネルは、
前記パネル本体部と前記補強板部材は、互いに異なる材料により形成されていることを特徴とするものである。
【００１８】
また、本発明によるフリーアクセスフロア用パネルは、
前記異なる材料は、異なる製法によって形成されていることを特徴とするものである。
【００１９】
また、本発明によるフリーアクセスフロア用パネルは、
前記異なる材料は、異なる組成を有していることを特徴とするものである。
【発明の効果】
【００２０】
このような本発明に係るフリーアクセスフロア用パネルによれば、
表板部とこの表板部の裏面側に高さを有して一体的に形成された複数のリブとを有するパネル本体部と、
前記複数のリブの高さ先端部に接合される補強板部材とを備え、
前記リブの高さ先端部と前記補強板部材との間が、摩擦撹拌接合手段により接合されていることにより、
パネル本体部と補強板部材との間を十分な強度で接合することができると共に、パネル本体部の重量化やコストアップを防止することができる。
【００２１】
また、本発明に係るフリーアクセスフロア用パネルによれば、
前記パネル本体部と前記補強板部材は、共に同じ材料により形成されていることにより、
パネル本体部と補強板部材との間の接合強度を確実に向上させることができる。
【００２２】
また、本発明に係るフリーアクセスフロア用パネルによれば、
前記同じ材料は、同じ製法によって形成されていることにより、
やはりパネル本体部と補強板部材との間の接合強度を確実に向上させることができる。
【００２３】
また、本発明に係るフリーアクセスフロア用パネルによれば、
前記同じ材料は、同じ組成を有していることにより、
やはりパネル本体部と補強板部材との間の接合強度を確実に向上させることができる。
【００２４】
また、本発明に係るフリーアクセスフロア用パネルによれば、
前記パネル本体部と前記補強板部材は、互いに異なる材料により形成されていることにより、
パネル本体部又は補強板部材に用いることができる材質の範囲を拡大することができる。
【００２５】
また、本発明に係るフリーアクセスフロア用パネルによれば、
前記異なる材料は、異なる製法によって形成されていることにより、
パネル本体部又は補強板部材に用いることができる材質の製法の範囲を拡大することができる。
【００２６】
また、本発明に係るフリーアクセスフロア用パネルによれば、
前記異なる材料は、異なる組成を有していることにより、
パネル本体部又は補強板部材に用いることができる材質の組成の範囲を拡大することができる。
【発明を実施するための最良の形態】
【００２７】
以下、本発明に係るフリーアクセスフロア用パネルを実施するための最良の形態について、図面に基づいて具体的に説明する。
図１は、本発明の一実施の形態に係るフリーアクセスフロア用パネル２０について説明するために参照する図である。従来と同様の部分には同じ符号を用いて説明し、従来と同様の構成についての重複する説明はできるだけ省略するものとする。
【００２８】
本実施の形態に係るフリーアクセスフロア用パネル２０（以下、パネル２０ともいう）は、図１に示すように、その補強板部材１４が、パネル本体部１２における複数のリブ６の先端部に接合されている。そして、これら両者間は、いわゆる摩擦撹拌接合手段（Ｆｒｉｃｔｉｏｎ  Ｓｔｉｒ  Ｗｅｌｄｉｎｇ）により接合されている。
【００２９】
ここで、摩擦撹拌接合手段とは、例えば、特許第２７１２８３８号，第２７９２２３３号公報に記載されているように、略円柱形状の部分と、その部分の先端面から同一軸線上に突出するネジ棒状の突起部（以下、プローブと呼ぶ）とを有する工具を、その軸線回りに回転させながら接合部材同士の接合部分の平面、又はその近傍部分の平面にほぼ垂直に押し付ける。
【００３０】
このときの、回転するプローブと接合部材との間の摩擦熱で接合部材を軟化させると共に、この軟化した接合部材の肉厚内に前記プローブがその先端部から入り込んで、接合部材同士間において回転するプローブによる撹拌作用により塑性流動を生じさせ、接合部材同士の接合部分の組織を練り混ぜることにより一体化させた後、温度降下により固化するような接合手段をいう。
【００３１】
パネル２０におけるパネル本体部１２のリブ６と補強板部材１４との間の摩擦撹拌接合の作業は、補強板部材１４の、パネル本体部１２とは反対側の平面における、その裏側（パネル本体部１２側）のリブ６に対応する位置に、その摩擦撹拌接合を行なう不図示の装置の回転する工具のプローブ先端部が押し当てられて、このプローブが補強板部材１４を熱により軟化させて、リブ６に向かって補強板部材１４の肉厚内に潜り込み、その後、前記工具のプローブがリブ６の長さ方向に沿って移動していくことにより、リブ６と補強板部材１４との間の摩擦撹拌接合が行なわれる。
【００３２】
補強板部材１４は、リブ６の長さ全長に渡って接合されていてもよいし、リブ６の長さ途中の複数個所においてのみ接合されるようになっていてもよい。或いは補強板部材１４は、複数のリブ６のうちの、いずれか所定の本数のものに対してのみ接合されるようになっていてもよい。
【００３３】
また、パネル２０におけるパネル本体部１２及び補強板部材１４のそれぞれは、共に同じ金属材料で形成されていてもよいし、又は、上記パネル本体部１２及び補強板部材１４のそれぞれが、互いに異なる金属材料で形成されていてもよい。
【００３４】
ここで、パネル本体部１２及び補強板部材１４のそれぞれが、共に同じ金属材料で形成される実施例としては、同じダイカスト用アルミニウム合金を用いることが考えられる。すなわち、パネル本体部１２と補強板部材１４の両方が、同じダイカスト用アルミニウム合金であって、その組成成分を同じ比率で含むアルミニウム合金を用いてダイカスト製品として形成される場合には、これらパネル本体部１２と補強板部材１４は、互いに同じ金属材料で形成されているということができる。
【００３５】
例えば、パネル２０のパネル本体部１２及び補強板部材１４のそれぞれは、その材質として、アルミニウムに添加される成分に、Ｓｉ（シリコン）、Ｍｇ（マグネシウム）、Ｍｎ（マンガン）、Ｃｕ（銅）、又は他の成分のうちのいずれか１つ又は複数のものを含むアルミニウム合金を用いて形成することができる。
【００３６】
他方、パネル本体部１２及び補強板部材１４のそれぞれに、共に同じ金属材料を用いる場合としては、アルミニウム合金以外の鉄鋼材料等の、他の金属材料同士を共に用いて形成することもできる。
【００３７】
また、パネル本体部１２及び補強板部材１４のそれぞれが、互いに異なる金属材料で形成される実施例としては、アルミニウムとスチールのように、文字通り明らかに異なる金属材料同士の場合はもちろん、これらの金属材料同士が、同じ種類の金属であってもその組成成分を異なる比率で含むものであるような場合をも含むものとする。
【００３８】
例えば、パネル本体部１２と補強板部材１４の両方を、同じアルミニウム合金で製造するような場合であっても、パネル本体部１２をダイカスト製品として形成し、補強板部材１４を圧延製造したアルミニウム合金の板状の素材から切取って形成するような場合には、製法が互いに異なることにより必然的に互いの組成成分の比率が異なることになるため、パネル本体部１２と補強板部材１４は、互いに異なる金属材料が用いられているということができる。
【００３９】
以上に説明したように、本実施の形態に係るパネル２０によれば、そのパネル本体部１２の複数のリブ６の高さ先端部と補強板部材１４の平面部との間が、摩擦撹拌接合手段により接合されているので、溶着や溶接に比べて、リブ６と補強板部材１４の接合強度を十分に向上させることができる。
【００４０】
すなわち、本実施の形態に係るパネル２０によれば、上述したように、そのパネル本体部１２の複数のリブ６と補強板部材１４との間の接合強度を向上させることができることにより、例えば、上方から平板部４の中央部に働く力によって、パネル本体部１２の周部の、互いに対向するように配置されたリブ６の先端部が互いに開くことを防止することができ、パネル２０全体として曲げ荷重等に対する強度を向上させることができる。
【００４１】
このように、パネル２０の強度を向上させることができるために、パネル本体部１２の平板部４や、複数のリブ６のそれぞれの厚さを厚くしたり、或はリブ６の数を増やしたりする必要がないので、パネル本体部１２の重量化やコストアップを防止することができる。
【００４２】
また、本実施の形態に係るパネル２０によれば、そのパネル本体部１２及び補強板部材１４のそれぞれを、互いに前述したような意味の同じ金属材料で形成した場合には、前記摩擦撹拌接合手段により両者の材料が塑性的に軟化して混合し易くなるので、パネル本体部１２と補強板部材１４との間の接合強度を確実に向上させることができる。
【００４３】
また、本実施の形態に係るパネル２０によれば、そのパネル本体部１２及び補強板部材１４のそれぞれを、互いに前述したような意味の異なる金属材料で形成することとした場合でも、摩擦撹拌接合を施工することは可能なので、パネル本体部１２又は補強板部材１４に用いることができる材質の範囲を拡大することができる。
【００４４】
なお、上記実施の形態においては、パネル本体部１２のリブ６の高さ先端部と補強板部材１４の「平面部」との間が、摩擦撹拌接合手段により接合される場合について説明したが、補強板部材１４が上記リブ６の高さ先端部と隙間無く接触できるようになっていれば、そのリブ６の高さ先端部と補強板部材１４の平面部に形成された「凸部」や「凹部」、または「貫通孔」との間が摩擦撹拌接合手段により接合されるようになっていてもよい。
【図面の簡単な説明】
【００４５】
【図１】本発明の一実施の形態に係るフリーアクセスフロア用パネル２０を示す側面断面図である。
【図２】第１の従来技術に係るフリーアクセスフロア用パネル２を示す平面図である。
【図３】図２に示すフリーアクセスフロア用パネル２のＡ−Ａ線矢視断面図である。
【図４】第２の従来技術に係るフリーアクセスフロア用パネル１０を示す側面断面図である。
【符号の説明】
【００４６】
２  フリーアクセスフロア用パネル
４  平板部
６  リブ
１０  フリーアクセスフロア用パネル
１２  パネル本体部
１４  補強板部材
２０  フリーアクセスフロア用パネル
【図１】
2010043448.tif 000003
【図２】
2010043448.tif 000004
【図３】
2010043448.tif 000005
【図４】
2010043448.tif 000006